(57)【特許請求の範囲】
【請求項１】
予め定められた基準色が印刷された基準色試料について測定光源下で測定された、該基準色試料からの反射光と蛍光に基づく分光放射輝度率を測定光源下基準輝度率として取得する測定光源下基準輝度率の取得手段と、
前記基準色試料について前記測定光源下で測定された、該基準色試料からの反射光のみに基づく分光放射輝度率を基準反射率として取得する基準反射率の取得手段と、
前記基準色試料について観察光源下で測定された、該基準色試料からの反射光と蛍光に基づく分光放射輝度率を観察光源下基準輝度率として取得する観察光源下基準輝度率の取得手段と、
前記測定光源下基準輝度率と前記観察光源下基準輝度率、および前記基準反射率から、前記測定光源下と前記観察光源下における前記基準色試料からの蛍光発生量の比を示す蛍光補正係数を算出する蛍光補正係数算出手段と、
前記基準色とは異なる対象色が印刷された対象色試料について前記測定光源下で測定された、該対象色試料からの反射光と蛍光に基づく分光放射輝度率を測定光源下輝度率として取得する測定光源下輝度率の取得手段と、
前記対象色試料について前記測定光源下で測定された、該対象色試料からの反射光のみに基づく分光放射輝度率を反射率として取得する反射率の取得手段と、
前記測定光源下輝度率と前記反射率の差と、前記蛍光補正係数とに基づき、前記観察光源下における前記対象色試料の分光放射輝度率を観察光源下輝度率として算出する観察光源下輝度率の算出手段とを有し、
前記基準反射率の取得手段および前記反射率の取得手段は、前記測定光源の放射光から紫外域を除去した光を前記基準色試料および前記対象色試料に照射することによって測定された、前記基準反射率および前記反射率を取得することを特徴とする色処理装置。
【請求項２】
前記蛍光補正係数算出手段は、前記測定光源下基準輝度率と前記基準反射率との差と、前記観察光源下基準輝度率と前記基準反射率との差の比として、前記蛍光補正係数を算出することを特徴とする請求項１に記載の色処理装置。
【請求項３】
さらに、前記測定光源下基準輝度率、前記観察光源下基準輝度率、前記基準反射率、前記測定光源下輝度率、および前記反射率のそれぞれのデータを予め保持する保持手段を有し、
前記測定光源下基準輝度率の取得手段、前記基準反射率の取得手段、前記観察光源下基準輝度率の取得手段、前記測定光源下輝度率の取得手段、および前記反射率の取得手段はそれぞれ、前記保持手段に保持された当該データを取得することを特徴とする請求項１または２に記載の色処理装置。
【請求項４】
さらに、前記測定光源下基準輝度率、前記観察光源下基準輝度率、および前記基準反射率のそれぞれのデータを予め保持する保持手段を有し、
前記測定光源下基準輝度率の取得手段、前記基準反射率の取得手段、および前記観察光源下基準輝度率の取得手段はそれぞれ、前記保持手段に保持された当該データを取得することを特徴とする請求項１または２に記載の色処理装置。
【請求項５】
さらに、前記対象色試料の分光放射輝度を測定する測定手段を有し、
前記測定光源下輝度率の取得手段および前記反射率の取得手段は、前記測定手段による測定結果に基づき、前記測定光源下輝度率および前記反射率を取得することを特徴とする請求項４に記載の色処理装置。
【請求項６】
測定光源下基準輝度率の取得手段、基準反射率の取得手段、観察光源下基準輝度率の取得手段、蛍光補正係数算出手段、測定光源下輝度率の取得手段、反射率の取得手段、および観察光源下輝度率の算出手段、を有する色処理装置における色処理方法であって、
前記測定光源下基準輝度率の取得手段が、予め定められた基準色が印刷された基準色試料について測定光源下で測定された、該基準色試料からの反射光と蛍光に基づく分光放射輝度率を測定光源下基準輝度率として取得し、
前記基準反射率の取得手段が、前記基準色試料について前記測定光源下で測定された、該基準色試料からの反射光のみに基づく分光放射輝度率を基準反射率として取得し、
前記観察光源下基準輝度率の取得手段が、前記基準色試料について観察光源下で測定された、該基準色試料からの反射光と蛍光に基づく分光放射輝度率を観察光源下基準輝度率として取得し、
前記蛍光補正係数算出手段が、前記測定光源下基準輝度率と前記観察光源下基準輝度率、および前記基準反射率から、前記測定光源下と前記観察光源下における前記基準色試料からの蛍光発生量の比を示す蛍光補正係数を算出し、
前記測定光源下輝度率の取得手段が、前記基準色とは異なる対象色が印刷された対象色試料について前記測定光源下で測定された、該対象色試料からの反射光と蛍光に基づく分光放射輝度率を測定光源下輝度率として取得し、
前記反射率の取得手段が、前記対象色試料について前記測定光源下で測定された、該対象色試料からの反射光のみに基づく分光放射輝度率を反射率として取得し、
前記観察光源下輝度率の算出手段が、前記測定光源下輝度率と前記反射率の差と、前記蛍光補正係数とに基づき、前記観察光源下における前記対象色試料の分光放射輝度率を観察光源下輝度率として算出し、
前記基準反射率の取得手段および前記反射率の取得手段は、前記測定光源の放射光から紫外域を除去した光を前記基準色試料および前記対象色試料に照射することによって測定された、前記基準反射率および前記反射率を取得することを特徴とする色処理方法。
【請求項７】
コンピュータを請求項１乃至５のいずれか１項に記載の色処理装置の各手段として機能させるためのプログラム。
【発明の詳細な説明】
【技術分野】
【０００１】
本発明は、蛍光物質を含む試料の色再現特性を取得する色処理に関する。
【背景技術】
【０００２】
画像入力機器、画像表示機器、画像出力機器それぞれの再現色を一致させるカラーマッチング処理においては、マッチング対象となる各機器の色再現特性を考慮して、各機器の再現色の対応付けを行う。
【０００３】
図15に、画像出力機器の色再現特性を取得する手順の一例を示す。まず、画像出力機器で所定のメディアに色票データ21に基づく色票を印刷して試料を形成し(S22)、該試料の分光放射輝度率を取得する(S23)。試料の分光放射輝度率は、一般に図16に示す測定方法によって得られた測定値(分光放射輝度)から算出される。図16によれば、測定のために用意された光源（測定光源）12から試料11に光が照射され、試料11が反射した光を分光器13を通して受光器14で受光することで、反射光の分光放射輝度を測定する。反射光の分光放射輝度を測定光源の分光放射輝度で除算することにより試料の分光放射輝度率β(λ)が算出される。従って、分光放射輝度率β(λ)とはすなわち、分光反射率と同義である。次に、試料を観察する環境の光源（観察光源）24の分光放射輝度S(λ)を測定する(S25)。これら、分光放射輝度率β(λ)と観察光源の分光放射輝度S(λ)、及び等色関数x~(λ)、y~(λ)、z~(λ)（ｘ~はｘの上にバー）から、以下の式(1)を用いて、CIE三刺激値XYZ27を算出する(S26)。
【０００４】
0005677123.tif 000002
【０００５】
つまり、画像出力機器によりメディアに多数の色の色票を印刷して試料11を形成し、各色票の測色値（例えば三刺激値XYZ27）を取得すれば、色票を印刷する際に画像出力機器に入力した信号値（例えばRGB値）21と測色値の関係が得られる。この対応関係は、画像出力機器の色再現特性を表す。
【０００６】
しかしながら、メディアやインクに蛍光を発する材料（蛍光増白材等の蛍光物質）が使用されている場合、上記方法で算出した試料の分光放射輝度率は、観察光源下における分光放射輝度率と異なる場合がある。なお蛍光物質は、照射光に含まれる励起波長域とは異なる波長域（蛍光波長域）の光を発する。一般に、蛍光波長は励起波長より長波長になる。
【０００７】
図17により、励起波長が紫外域にある蛍光物質を含む試料（以下、蛍光試料）の分光放射輝度率を説明する。図17(a)は測定光源の分光放射輝度を示し、斜線部は紫外域(励起波長域)を示している。また図17(b)は、図17(a)に示す測定光源を照射した場合の蛍光試料からの分光放射輝度を示し、蛍光物質が照射光に含まれる紫外域(図17(a)の斜線部)の光に反応し、蛍光波長域(図17(b)の斜線部)の光（蛍光）が発光される。また図17(c)は、図17(a)に示す測定光源の分光放射輝度で図17(b)に示す蛍光試料からの分光放射輝度を除算した分光放射輝度率を示し、斜線部が蛍光による分光放射輝度率の増加分を示している。つまり、蛍光試料の分光放射輝度率は蛍光の発光量（蛍光量）に依存し、蛍光量は測定光源の励起波長域の分光放射輝度に依存する。
【０００８】
ここで、測定光源と観察光源が同じである場合には、両光源において蛍光試料が発光する蛍光量も等しくなる。そのため、観察光源下において蛍光試料が発光する蛍光量と等しい蛍光量が加味された測定光源下の分光放射輝度率（すなわち、観察光源下の分光放射輝度率）によって算出したXYZ値が、観察光源下の実際の見えと対応する。
【０００９】
しかしながら、測定光源と観察光源が異なる場合には、両光源において蛍光試料が発光する蛍光量も異なる。そのため観察光源下において蛍光試料が発光する蛍光量と異なる蛍光量が加味された測定光源下の分光放射輝度率によって算出したXYZ値は、観察光源下の実際の見えとは対応しない。よって、観察光源下での実際の見えと対応するXYZ値を算出するためには、観察光源下で測定を行い、観察光源下において蛍光試料が発光する蛍光量が加味された分光放射輝度率を取得する必要がある。
【００１０】
以下、測定光源下および観察光源下における分光放射輝度率の取得方法について説明する。まず、測定光源下における分光放射輝度率の測定を行う場合、具体的には図16に示すような測定系を実現するために光源12と分光器13、受光器14を備える測色器を用いる。外測色器によって試料11の分光放射輝度率を測定する場合、蛍光試料11と測定器とを接触させて測定する。これにより、光源12から試料11までの光路d1、及び試料11から受光器14までの光路d2を短くし、受光器14に入射する光量の低下を抑制している。また光源12についても、可視波長域で十分な光量が得られるものを用いている。以上のようにして受光器14で受光される光量を確保することで、短時間での測定を可能としている。
【００１１】
次に、観察光源下における分光放射輝度率の測定について説明する。ここで観察光源とは、ユーザが印刷物を観察する環境の照明光を指している。よって、試料11と観察光源との間には距離すなわち空間があるため、観察光源下での測定を行う場合は上記測定光源の場合と比較して、受光器14に入射する光量が低くなると考えられる。さらに、観察光源を試料11に照射する際に、受光器14を備えた測定器を試料11に接触させることはできないため、上記測定光源を用いた場合と比較して、試料11から受光器14までの光路d2は長くなる。また、光源12から試料11までの光路d1は、観察条件に応じて決定する。
【００１２】
以上のように、観察光源下における分光放射輝度率の測定を行う場合、受光器14での受光量が十分に確保できないため、測定時間が長くなってしまうという課題がある。
【００１３】
このような課題に対し、観察光源下での測定を行わずに、測定光源下での分光放射輝度率の測定を行うことで、観察光源下の分光放射輝度率を推定する方法が提案されている（例えば、特許文献１）。該方法によれば、標準蛍光試料の二分光放射輝度率とよばれる蛍光特性を予め測定し、この蛍光特性と測定光源下の全分光放射輝度率を用いて観察光源下の全分光放射輝度率を推定する。
【先行技術文献】
【特許文献】
【００１４】
【特許文献１】特開２００９−２３６４８６号公報
【発明の概要】
【発明が解決しようとする課題】
【００１５】
上述したように、観察光源下において分光放射輝度率を測定する際には、受光器14での受光量を十分に確保できない場合があり、このような場合、測定時間が長くなってしまうという課題がある。
【００１６】
対して、上記特許文献１に記載された方法によって観察光源下の分光放射輝度率の推定を行う場合、観察光源下で測定を行う必要がないものの、標準蛍光試料の二分光放射輝度率とよばれる蛍光特性を予め測定する必要がある。さらに、被測定試料と標準蛍光試料の蛍光特性が近似していなければならない。したがって、標準蛍光試料の蛍光特性取得方法及び標準蛍光試料の選定方法に関する新たな課題が発生する。
【００１７】
本発明は上記の点を鑑み、観察光源下における対象色の分光放射輝度率を容易かつ短時間で取得することを目的とする。
【課題を解決するための手段】
【００１８】
上記目的を達成するために本発明の色処理装置は以下の構成を備える。
【００１９】
すなわち、予め定められた基準色が印刷された基準色試料について測定光源下で測定された、該基準色試料からの反射光と蛍光に基づく分光放射輝度率を測定光源下基準輝度率として取得する測定光源下基準輝度率の取得手段と、前記基準色試料について前記測定光源下で測定された、該基準色試料からの反射光のみに基づく分光放射輝度率を基準反射率として取得する基準反射率の取得手段と、前記基準色試料について観察光源下で測定された、該基準色試料からの反射光と蛍光に基づく分光放射輝度率を観察光源下基準輝度率として取得する観察光源下基準輝度率の取得手段と、前記測定光源下基準輝度率と前記観察光源下基準輝度率、および前記基準反射率から、前記測定光源下と前記観察光源下における前記基準色試料からの蛍光発生量の比を示す蛍光補正係数を算出する蛍光補正係数算出手段と、前記基準色とは異なる対象色が印刷された対象色試料について前記測定光源下で測定された、該対象色試料からの反射光と蛍光に基づく分光放射輝度率を測定光源下輝度率として取得する測定光源下輝度率の取得手段と、前記対象色試料について前記測定光源下で測定された、該対象色試料からの反射光のみに基づく分光放射輝度率を反射率として取得する反射率の取得手段と、前記測定光源下輝度率と前記反射率の差と、前記蛍光補正係数とに基づき、前記観察光源下における前記対象色試料の分光放射輝度率を観察光源下輝度率として算出する観察光源下輝度率の算出手段とを有し、前記基準反射率の取得手段および前記反射率の取得手段は、前記測定光源の放射光から紫外域を除去した光を前記基準色試料および前記対象色試料に照射することによって測定された、前記基準反射率および前記反射率を取得することを特徴とする。
【発明の効果】
【００２０】
本発明によれば、観察光源下における対象色の分光放射輝度率を容易かつ短時間で取得することができる。
【図面の簡単な説明】
【００２１】
【図１】第１実施形態における色処理装置のハードウェア構成を示すブロック図、
【図２】第１実施形態における色処理装置の機能構成を示すブロック図、
【図３】反射分光放射輝度率の測定方法を示す図、
【図４】対象色の観察光源下における分光放射輝度率の取得処理を示すフローチャート、
【図５】第１実施形態におけるユーザインタフェース例を示す図、
【図６】分光放射輝度率のデータ構造を示す図、
【図７】蛍光補正係数算出処理を示すフローチャート、
【図８】蛍光による分光放射輝度率の増加量の概念を示す図、
【図９】分光放射輝度率の算出処理を示すフローチャート、
【図１０】対象色の観察光源下における分光放射輝度率の算出方法の概念を示す図、
【図１１】第２実施形態における色処理装置のハードウェア構成を示すブロック図、
【図１２】第２実施形態における色処理装置の機能構成を示すブロック図、
【図１３】第２実施形態におけるユーザインタフェース例を示す図、
【図１４】第３実施形態における色補正プロファイル作成装置の機能ブロック構成を示す図、
【図１５】画像出力機器の色再現特性を取得する手順例を説明する図、
【図１６】試料の分光放射輝度率の一般的な測定方法を示す図、
【図１７】蛍光物質を含む試料の分光反射率を説明する図、である。
【発明を実施するための形態】
【００２２】
以下、本発明に係る実施例について図面を用いて詳細に説明する。尚、以下の実施形態は特許請求の範囲に係る本発明を限定するものでなく、また本実施の形態で説明されている特徴の組み合わせの全てが本発明の解決手段に必須のものとは限らない。
【００２３】
＜第１実施形態＞
上述したように、メディアが蛍光物質を含む場合、任意の観察環境の下における試料の測色値を正確に得るには、試料の分光放射輝度率を用いる必要がある。しかし、観察光源下で分光放射輝度率を測定する際に、受光器での受光量が十分に確保できないと、測定時間が長くなってしまう。そこで本実施形態においては、ある1色について、観察光源下と測定光源下での分光放射輝度率を測定し、蛍光補正係数を算出しておく。そして任意の色の試料について、測定光源下での分光放射輝度率に該蛍光補正係数を乗じることで、観察光源下での分光放射輝度率を短時間で算出する。なお、以下では、メディア上に色材が印刷されて形成された色票のことを試料と呼ぶ。
【００２４】
●装置構成
図1は、本実施形態における色処理装置のハードウェア構成を示すブロック図である。同図において、101はCPU、102はメインメモリ、103はHDD、104は汎用インタフェース、105はモニタ、106はメインバス、107はキーボードやマウス等の指示入力部、108は外部記憶装置である。汎用インタフェース104は、指示入力部107や外部記憶装置108などをメインバス106に接続する。以下では、CPU101がHDD103に格納された汎用OSを含む各種ソフトウェアプログラムを動作させることで実現する各種処理について説明する。
【００２５】
まず、CPU101は、指示入力部107に対するユーザ指示により、HDD103や外部記憶装置108に格納されている情報処理アプリケーション（以下、アプリケーション）を起動する。そしてアプリケーションをメインメモリ102に展開すると共に、モニタ105にユーザインタフェース(以下、UI)を表示する。続いて、HDD103や外部記憶装置108に格納されている各種データが、CPU101からの指令に基づきバス106経由でメインメモリ102に転送される。メインメモリ102に転送された各種データは、CPU101からの指令により所定の演算処理が行われ、該演算結果がバス106経由でモニタ105上に表示、あるいはHDD103や外部記憶装置108に格納される。
【００２６】
図2は、本実施形態における色処理装置の機能構成を示すブロック図である。上述したように本実施形態においては、図2に示す構成は、CPU101からの指令に基づくアプリケーションの動作として実現される。図2に示す色処理装置110において、111はUIをモニタ105に表示するUI表示部である。112は、観察光源下における基準色の分光放射輝度率、測定光源下における基準色及び対象色の分光放射輝度率、基準色及び対象色の反射分光放射輝度率を入力する入力部である。
【００２７】
ここで分光放射輝度率とは、試料に光を照射した際に得られる該試料からの放射光を照射光で除算して得られる値であり、試料からの放射光として、該試料からの反射光に、該試料が発した蛍光が重畳されている場合を含む。また反射分光放射輝度率も、上記分光放射輝度率と同様に、試料に光を照射した際に得られる該試料からの放射光を照射光で除算して得られる値であるが、該試料からの放射光が該試料からの反射光のみからなり、すなわち蛍光を含まない。したがって、同一の試料に対し、分光放射輝度率は発生する蛍光量に依存するため光源によって異なるが、反射分光放射輝度率は蛍光量に依存しないため、光源によらず一定である。本実施形態においては、測定光源下で反射分光放射輝度率を測定するとする。反射分光放射輝度率は、例えば図3に示すような一般的な測定器による測定が可能である。すなわち、測定光源62の励起波長域（紫外域）を除去するフィルタ65を介した光を試料61に照射し、その反射光を分光器63を通して受光器64で受光することで、反射光の分光放射輝度を測定する。そして、得られた反射光の分光放射輝度を測定光源62の分光放射輝度で除算することにより、試料61の反射分光放射輝度率が算出される。なお、測定光源62としては、蛍光の励起波長域（紫外域）に強度を持つ光源であれば良く、特定の光源に限定するものではないため、その分光放射輝度は一般的な測定器を用いて測定することができる。なお、反射分光放射輝度率の測定方法はこの方法に限定されない。
【００２８】
また、本実施形態において基準色とは所定の1色を指し、蛍光による影響、すなわち基準色が印刷された試料についての観察光源下における分光放射輝度率と、反射分光放射輝度率との差異が確認できる色であれば、どのような色であっても良い。そして対象色とは、本実施形態において観察光源下での分光放射輝度率の算出対象となる試料（対象色試料）の色、すなわち基準色以外の色である。以下、基準色が印刷された試料（基準色試料）における分光放射輝度（率）等を、単に基準色の分光放射輝度（率）と称することとし、対象色が印刷された試料（対象色試料）についても同様である。
【００２９】
図2に戻り、113は、測定光源下における基準色の分光放射輝度率及び観察光源下における基準色の分光放射輝度率、基準色の反射分光放射輝度率から、蛍光補正係数を算出する蛍光補正係数算出部である。114は、測定光源下における対象色の分光放射輝度率及び対象色の反射分光放射輝度率、蛍光補正係数から、観察光源下における対象色の分光放射輝度率を算出する分光放射輝度率算出部である。115は、分光放射輝度率算出部114で算出された観察光源下での対象色の分光放射輝度率をファイル出力する出力部である。116は、予め測定された、観察光源下および測定光源下における基準色の分光放射輝度率、および基準色の反射分光放射輝度率、測定光源下における対象色の分光放射輝度率の各データを保持する分光データ保持部である。分光データ保持部116は、図1に示すHDD103や外部記憶装置108に相当する。
【００３０】
●対象色の観察光源下における分光放射輝度率の取得処理
以下、本実施形態の色処理装置における、対象色の観察光源下における分光放射輝度率の取得処理について、図4のフローチャートを用いて説明する。
【００３１】
まずS1において、UI表示部111は情報処理に必要な情報をユーザに入力してもらうためのUIをモニタ105に表示する。ここで表示されるUI例を図5に示す。図5に示すUIにおいて、1001、1002、1003はそれぞれ、観察光源下における基準色の分光放射輝度率、測定光源下における基準色の分光放射輝度率、基準色の反射分光放射輝度率、のファイル名を指示するための指示入力部である。また1004、1005はそれぞれ、測定光源下における対象色の分光放射輝度率、対象色の反射分光放射輝度率、のファイル名を指示するための指示入力部である。また1006は、色処理装置110で算出された観察光源下における対象色の分光放射輝度率を保存する際のファイル名を指示するための指示入力部である。1007は、色処理装置110に対して処理の実行を指示するためのボタンであり、当該ボタンの押下によって、処理はS2へ進む。なお、図5に示すUIはあくまでも一例に過ぎず、分光放射輝度率を入力するものであれば、どのようなUIであっても良い。
【００３２】
S2において、入力部112は、S1で表示したUIにおいて指示入力部1001で指示されたファイル名に基づき、分光データ保持部116から、観察光源下における基準色の分光放射輝度率（観察光源下基準輝度率）を入力する。またS3においても同様に、UIの指示入力部1002で指示されたファイル名に基づき、測定光源下における基準色の分光放射輝度率（測定光源下基準輝度率）を入力する。またS4においても同様に、UIの指示入力部1003で指示されたファイル名に基づき、基準色の反射分光放射輝度率（基準反射率）を入力する。ここで図6に、S2、S3及びS4において入力される各分光放射輝度率のデータ構造を示す。図6に示すように、380nmから780nmまでの10nm間隔の波長に対する各放射輝度率が、ユーザによって指示される。
【００３３】
次にS5において、蛍光補正係数算出部113は、S2、S3及びS4で入力した基準色の各分光放射輝度率および反射分光放射輝度率から、蛍光補正係数を算出する。S5における蛍光補正係数算出処理の詳細については後述する。
【００３４】
そしてS6において、入力部112は、S1で表示したUIの指示入力部1004で指示されたファイル名に基づき、分光データ保持部116から測定光源下における対象色の分光放射輝度率（測定光源下輝度率）を入力する。またS7においても同様に、UIの指示入力部1005で指示されたファイル名に基づき、対象色の反射分光放射輝度率（反射率）を入力する。なお、S6,S7で入力される対象色の分光放射輝度率および反射分光放射輝度率も、図6に示すようなデータ構造からなる。（対象色の分光放射輝度率のデータ構造についても、図6と同様であると記載しました）。
【００３５】
そしてS8において、分光放射輝度率算出部114は、S6、S7で入力した対象色の分光放射輝度率及び反射分光放射輝度率と、S5で算出した蛍光補正係数から、観察光源下における対象色の分光放射輝度率（観察光源下輝度率）を算出する。S8における分光放射輝度率算出処理の詳細については後述する。
【００３６】
●蛍光補正係数算出処理(S5)
以下、上記S5における蛍光補正係数算出処理について、図7のフローチャートを用いて詳細に説明する。
【００３７】
まずS501およびS502において、S3で入力した測定光源下における基準色の分光放射輝度率、およびS4で入力した基準色の反射分光放射輝度率を取得する。そしてS503において、S501で取得した分光放射輝度率及びS502で取得した反射分光放射輝度率から、測定光源下での蛍光による分光放射輝度率の増加量を取得する。ここで図8に、蛍光による分光放射輝度率の増加量の概念を示す。図8において、破線はS501で取得した分光放射輝度率、実線はS502で取得した反射分光放射輝度率を示す。図8に示す斜線部が、分光放射輝度率から反射分光放射輝度率を減算した成分であり、蛍光による分光放射輝度率の増加量に相当する。
【００３８】
次にS504において、S2で入力した観察光源下における基準色の分光放射輝度率を取得する。そしてS505において、S504で取得した分光放射輝度率及びS502で取得した反射分光放射輝度率から、観察光源下での蛍光による分光放射輝度率の増加量を取得する。ここで取得する増加量はすなわち、S504で取得した分光放射輝度率からS502で取得した反射分光放射輝度率を減算することによって得られる。
【００３９】
次にS506において、S505で取得した観察光源下での蛍光による分光放射輝度率の増加量ΔF1(λ)と、S503で取得した測定光源下での蛍光による分光放射輝度率の増加量ΔF2(λ)との比k(λ)を、以下の式(2)によって算出する。すなわちk(λ)は、観察光源下と測定光源下での蛍光発生量の比である。
【００４０】
k(λ)＝ΔF1(λ)／ΔF2(λ)      ・・・(2)
ここで一般に、各光源下における蛍光の相対分光分布（蛍光スペクトル）は、主にメディアに含まれる蛍光増白剤及び印刷された色（インク）の分光透過率に依存する。そのため、メディア種及び印刷色を一意に決定した場合、蛍光の相対分光分布もまた光源に依らず一意に決めることができる。したがって、光源のみが異なる蛍光による分光放射輝度率の増加量ΔF1(λ)及びΔF2(λ)の相対分光分布は、光源によらずほぼ同様であるとみなすことができる。したがって、上式(2)に示す比k(λ)は、以下の式(3)のように定数Kとして扱うことが可能である。
【００４１】
K＝ΔF1(λ)／ΔF2(λ)      ・・・(3)
本実施形態においては式(3)における定数Kを、測定光源下での蛍光による分光放射輝度率の増加量を、観察光源下での蛍光による分光放射輝度率の増加量に変換する際に適用する蛍光補正係数とする。なお、蛍光スペクトルが光源に応じて異なる、つまり比k(λ)が定数として扱えない場合には、式(2)に示すように波長λを変数に持つ関数k(λ)を蛍光補正係数とする。
【００４２】
●分光放射輝度率の算出処理(S8)
以下、上記S8における分光放射輝度率の算出処理について、図9のフローチャートおよび図10の分光放射輝度率例を用いて詳細に説明する。なお図10は、対象色の分光放射輝度率の算出方法の概念を示しており、(a),(b)が基準色に対する測定光源下および観察光源下での分光放射輝度率、(c),(d)が対象色に対する測定光源下および観察光源下での分光放射輝度率を示している。図10の各図において、破線が分光放射輝度率、実線が反射分光放射輝度率を示し、説明のため、各図において分光放射輝度率と反射分光放射輝度率の差が十分に大きくなる同一の波長を鎖線で示している。
【００４３】
まずS801において、S6で入力した測定光源下における対象色の分光放射輝度率(図10(c)の破線に相当)を取得し、S802において、S7で入力した対象色の反射分光放射輝度率(図10(c)の実線に相当)を取得する。そしてS803において、S801で取得した分光放射輝度率から、S802で取得した反射分光放射輝度率を減算することで、測定光源下での蛍光による分光放射輝度率の増加量(図10(c)の斜線部に相当)を取得する。
【００４４】
次にS804において、S5で算出した蛍光補正係数(図10(b)のΔF1(λ)と図10(a)のΔF2(λ)の比に相当)を取得する。
【００４５】
そしてS805において、観察光源下における対象色の分光放射輝度率を算出する。具体的には、まずS803で取得した、対象色の測定光源下における蛍光による分光放射輝度率の増加量(図10(c)の斜線部に相当)に対し、蛍光補正係数を乗算する。これにより、対象色の観察光源下における蛍光による分光放射輝度率の増加量(図10(d)の斜線部に相当)が取得される。そして、S802で取得した反射分光放射輝度率(図10(c),(d)の実線に相当)に対し、対象色の観察光源下における蛍光による分光放射輝度率の増加量(図10(d)の斜線部に相当)を加算する。これにより、観察光源下における対象色の分光放射輝度率(図10(d)の破線に相当)が取得される。
【００４６】
以上説明したように本実施形態によれば、観察光源下で分光放射輝度率を測定する際に、まず、1色の基準色からなる試料について、測定光源下および観察光源下での測定を行って、蛍光発生量の比を示す蛍光補正係数を算出しておく。そして任意の対象色の試料について、測定光源下での分光放射輝度率における蛍光増加分に対し、該蛍光補正係数を乗じることで、観察光源下での分光放射輝度率を短時間で算出することができる。
【００４７】
＜第２実施形態＞
以下、本発明に係る第２実施形態について説明する。上述した第１実施形態では、分光データ保持部116(HDD103や外部記憶装置108)に格納されている分光データに基づいて、観察光源下における対象色の分光放射輝度率を算出するアプリケーションを実行する例を示した。第２実施形態では、事前に格納された分光データに対する処理ではなく、アプリケーションの指示に基づいて外部の測定器を制御することで、該測定結果に基づいて所望する対象色の分光放射輝度率を算出することを特徴とする。
【００４８】
図11は、第２実施形態における色処理装置のハードウェア構成を示すブロック図である。同図に示す構成は、上述した第１実施形態で図1に示した構成とほぼ同様であるが、汎用インタフェース104を介してさらに測定器109をメインバス106に接続することを特徴とする。以下、特に第１実施形態と異なる点について説明し、同様の構成および動作についての説明は省略する。図12は、第２実施形態における色処理装置の機能構成を示すブロック図であり、この構成は第１実施形態と同様に、CPU101からの指令に基づくアプリケーションの動作として実現される。図12に示す色処理装置210においては、上述した第１実施形態で図2に示した構成に対し、汎用OS上のデバイスドライバとして実現され、測定器109を制御する外部デバイス制御部217を有することを特徴とする。また、入力部212における動作が第１実施形態とは異なる。
【００４９】
以下、第２実施形態の色処理装置における分光放射輝度率の取得処理について説明するが、該処理は上述した第１実施形態と同様に、図4のフローチャートに従う。第２実施形態においては、S1において表示されるUIの内容と、S6およびS7にて取得される、測定光源下における対象色の分光放射輝度率、及び対象色の反射分光放射輝度率の取得方法が、第１実施形態とは異なる。
【００５０】
まずS1において、UI表示部211がモニタ105に表示するUI例を図13に示す。図13に示すUIにおいては、第１実施形態で図5に示したUIにおける指示入力部1004,1005に代えて、2004、2005の測定ボタンを有することを特徴とする。測定ボタン2004,2005はそれぞれ、測定光源下における対象色の分光放射輝度率、対象色の反射分光放射輝度率の測定を指示するためのボタンである。測定ボタン2004がユーザによって押下されると、入力部212は、外部デバイス制御部217に測定器の制御を指示する。指示を受けた外部デバイス制御部206は、汎用インタフェース104に接続されている測定器109を制御し、測定光源下における対象色の分光放射輝度を測定することによって、分光放射輝度率を取得する。同様に、測定ボタン2005がユーザによって押下されると、入力部212は、外部デバイス制御部217に測定器の制御を指示する。指示を受けた外部デバイス制御部217は、汎用インタフェース104に接続されている測定器109を制御し、対象色の反射分光放射輝度を測定することによって、反射分光放射輝度率を取得する。以上のように測定された各分光放射輝度率は、図6で説明したようなデータ構造として、入力部212により入力される。なお、各分光放射輝度の測定データを図6に示す分光放射輝度率のデータ構造へ変換する処理は、外部デバイス制御部217において実行しても良いし、入力部212において実行しても良い。
【００５１】
以上のように対象色の測定光源下での分光放射輝度率を入力した後は、第１実施形態と同様にS8の処理を行って、対象色の観察光源下での分光放射輝度率を算出することができる。
【００５２】
以上説明したように第２実施形態によれば、測定器に接続された色処理装置において測定アプリケーションを実行することにより、試料の蛍光を考慮した観察光源下での色を高精度に求めることができる。
【００５３】
＜第３実施形態＞
以下、本発明に係る第３実施形態について説明する。上述した第１および第２実施形態では、CPU101が所定のアプリケーションを動作させることによって、対象色の分光放射輝度率を高速に取得する色処理装置を示した。第３実施形態では、上記各実施形態における色処理装置を、モニタとプリンタ間の色補正プロファイルを作成する色補正プロファイル作成装置として応用する例を示す。
【００５４】
第３実施形態における色補正プロファイル作成装置の機能ブロック構成を図14に示す。同図に示す色補正プロファイル作成装置1601は、観察環境光設定部1605でユーザにより観察環境光が設定される。観察環境光設定部1605は、設定された観察環境光におけるモニタもしくはプリンタの再現色域データが、入力色域データ格納部1603および出力色域データ格納部1604に格納されているか否かを確認する。観察環境光下における再現色域データが格納されていない場合は、測定部1602で観察環境光下での再現色を新たに獲得する。第３実施形態ではすなわち、測定部1602を上記第１または第２実施形態の色処理装置として実現する。すなわち、観察光源下での所望色の分光放射輝度率を、第１実施形態のように算出する、または第２実施形態のように測定器を用いた最小限の測定により算出する。測定部1602で測定された観察環境光下のモニタもしくはプリンタの再現色域のデータは、入力色域データ格納部1603、出力色域データ格納部1604にそれぞれ格納される。そして写像部1606がモニタとプリンタの再現色域間のカラーマッチング処理を行い、プロファイル作成部1607が該カラーマッチング結果に基づいて、観察観光光下における色補正プロファイルを作成する。
【００５５】
以上説明したように第３実施形態によれば、色補正プロファイルを作成する際にも、所望色についての分光放射輝度率を高速に取得することで、該プロファイルを高速に作成することができる。
【００５６】
＜他の実施形態＞
上記各実施形態においては、外部機器で予め測定された各種分光放射輝度率を色処理装置に取得する例を示したが、該色処理装置を、演算機能及び測定機能双方を有する機器で実現し、各測定を当該機器において行うようにしても良い。例えば、演算機能を持つ測定器や、測定機能を持つハンディタイプのコンピュータ等が上記演算機能及び測定機能双方を有する機器に該当する。
【００５７】
また、上記各実施形態においては分光放射輝度率を出力する例を示したが、他の色再現特性を出力することも可能である。例えば、観察光源下における分光放射輝度を直接算出するために、上記各実施形態で入力する全ての分光放射輝度率に各光源の分光放射輝度を乗じて得られる試料の分光放射輝度を用いて、各実施形態と同様の処理を行っても良い。このとき、蛍光による分光放射輝度率の増加量は分光放射輝度の増加量として、また蛍光補正係数は蛍光の分光放射輝度増加量の比として、観察光源下における対象色の分光放射輝度が算出される。さらに、外部から入力または測定により取得した観察光源及び等色関数、上記各実施形態により取得した分光放射輝度率を用いて、測色値を算出して出力しても良い。このとき、測色値をCIE三刺激値XYZ、CIELABやCIECAM02等の知覚空間の値に変換しても良い。また、該測色値を用いて作成したカラープロファイルの形式で出力することも可能である。カラープロファイルは、カラーマネジメントシステムにおいて利用されるプロファイルであり、デバイスの色再現特性が記述されている。例えば、RGBプリンタの一般的なカラープロファイルには、RGB各9ステップ、計729(93)色の色票のRGBとXYZ（CIELAB,CIECAM02）との対応関係がLUTとして記述されている。よって、上記各実施形態で取得した各色の全分光放射輝度率と観察光源の分光放射輝度率から各色のXYZを算出し、カラープロファイルを作成することが可能である。
【００５８】
また、上記各実施形態では、観察光源下における基準色の分光放射輝度率、測定光源下における基準色の分光放射輝度率及び反射分光放射輝度率から、蛍光補正係数を算出する例を示した。しかしながら、蛍光補正係数の取得方法はこの例に限定されない。例えば、一般に蛍光補正係数は蛍光増白剤を含むメディアと観察光源に応じて決まるため、予め複数のメディア及び観察光源の組合せに対して蛍光補正係数を算出し、これをデータベースとして持つようにしても良い。また、蛍光補正係数をユーザが直接入力できるようにしても良い。
【００５９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のプロセッサ（またはＣＰＵやＭＰＵ等）がプログラムを読み出して実行する処理である。
【図１】
0005677123.tif 000003
【図２】
0005677123.tif 000004
【図３】
0005677123.tif 000005
【図４】
0005677123.tif 000006
【図５】
0005677123.tif 000007
【図６】
0005677123.tif 000008
【図７】
0005677123.tif 000009
【図８】
0005677123.tif 000010
【図９】
0005677123.tif 000011
【図１０】
0005677123.tif 000012
【図１１】
0005677123.tif 000013
【図１２】
0005677123.tif 000014
【図１３】
0005677123.tif 000015
【図１４】
0005677123.tif 000016
【図１５】
0005677123.tif 000017
【図１６】
0005677123.tif 000018
【図１７】
0005677123.tif 000019